(57)【特許請求の範囲】
【請求項１】
制御バルブの個数を減らした疑似移動床（ＳＭＢ）式の吸着分離方法であって、
異性体を含む原料をＳＭＢによる吸着によって分離する工程を備え、
当該ＳＭＢはｍ個の吸着剤床を備え、各吸着剤床にはグリッドが設けられ、各グリッドには材料の供給および排出を行うための吸着剤床のパイプラインが設けられ、
当該ＳＭＢへ供給されてそこから排出される材料は、吸着原料、脱着剤、抽出物、ラフィネート、および、異なる吸着剤床から供給される洗浄液を少なくとも含み、
当該抽出物には標的生成物が混入し、当該吸着原料、当該脱着剤、当該抽出物、および当該ラフィネートの何れか１つから選択される当該洗浄液の液流が少なくとも２つ存在し、
当該ＳＭＢに供給されてそこから排出される材料流は合計でｎ本存在し、
組成物および流れ方向がそれぞれ同一の材料がｓ種類存在し、
吸着剤床へ供給されてそこから排出されるｎ本の材料流を制御するようにｐ組の開閉バルブが使用され、
組成物および流れ方向がそれぞれ同一の２つの材料流からなる少なくとも１つの材料流群は１組のバルブによって制御され、
ｓ≦ｐ＜ｎであり、
ＳＭＢ式の操作方法において、材料の供給および排出を制御するために使用される当該開閉バルブの総数はｐ×ｍであることを特徴とする吸着分離方法。
【請求項２】
ｎは６〜８の整数であり、ｐは５〜７の整数であり、ｍは１２〜３０の整数であり、
上記ＳＭＢに供給されてそこから排出されるｎ本の材料流は、ｐ個のバルブによって制御されるｐ本のパイプラインを介して各吸着剤床へ供給されることを特徴とする請求項１に記載の吸着分離方法。
【請求項３】
上記抽出物は、原料供給位置の上流に位置する１〜２個の吸着剤床および抽出物回収位置の下流に位置する２〜４個の吸着剤床へそれぞれ供給される洗浄液として使用され、
２つの洗浄液の流れは、同一組のバルブによって制御されるパイプラインを介して吸着剤床内へ流入し、
当該抽出物回収位置の下流に位置する２〜４個の吸着剤床へ供給される洗浄液は第２の洗浄液であり、当該原料供給位置の上流に位置する１〜２個の吸着剤床へ供給される洗浄液は第３の洗浄液であることを特徴とする請求項１に記載の吸着分離方法。
【請求項４】
第１の洗浄液を設置し、
上記第１の洗浄液の成分は脱着剤であり、供給位置は上記抽出物回収位置の上流に位置する１〜２個の吸着剤床であり、
上記第１の洗浄液および上記脱着剤は、同一組のバルブによって制御されるパイプラインを介して吸着剤床へ供給されることを特徴とする請求項３に記載の吸着分離方法。
【請求項５】
第１の洗浄液を設置し、上記第１の洗浄液の成分は脱着剤であり、供給位置は上記抽出物の回収位置の上流に位置する１〜２個の吸着剤床であり、
第４の洗浄液を設置し、上記第４の洗浄液の成分は上記原料であり、供給位置はラフィネート回収位置の上流に位置する１〜２個の吸着剤床であり、
上記第１の洗浄液および上記脱着剤は、同一組のバルブによって制御されるパイプラインを介して吸着剤床へ供給され、
上記原料および上記洗浄液の第４の流れは、同一組のバルブによって制御されるパイプラインを介して吸着剤床へ供給されることを特徴とする請求項３に記載の吸着分離方法。
【請求項６】
上記第２の洗浄液の量は、洗浄液が通過する制御バルブから吸着剤床までのパイプラインの総容量の０．５倍〜１．５倍であり、
上記第３の洗浄液の量は、上記第３の洗浄液が通過する制御バルブから吸着剤床までのパイプラインの総容量の１．０倍〜２．５倍であることを特徴とする請求項３〜５の何れか１項に記載の吸着分離方法。
【請求項７】
上記第１の洗浄液の量は、上記第１の洗浄液が通過する制御バルブから吸着剤床までのパイプラインの総容量の０．７倍〜１．５倍であることを特徴とする請求項４または５に記載の吸着分離方法。
【請求項８】
上記第４の洗浄液の量は、上記第４の洗浄液が通過する制御バルブから吸着剤床までのパイプラインの総容量の０．６倍〜１．０倍であることを特徴とする請求項５に記載の吸着分離方法。
【請求項９】
導入された、同一の組成物を有する材料は、異なる吸着剤床へ通じる同一の主要パイプラインが通過する同一のバルブを介して、異なる吸着剤床へ供給されることを特徴とする請求項１に記載の吸着分離方法。
【請求項１０】
洗浄液の量は、一工程時間中に吸着剤床の洗浄を行うよう供給される洗浄液を制御するバルブの開放時間または洗浄液の流量によって制御されることを特徴とする請求項１に記載の吸着分離方法。
【請求項１１】
液相吸着分離方法であることを特徴とする請求項１に記載の吸着分離方法。
【請求項１２】
吸着分離される上記異性体はキシレンおよびエチルベンゼンであり、吸着分離の対象とする上記標的生成物はパラキシレンまたはメタキシレンであることを特徴とする請求項１に記載の吸着分離方法。
【請求項１３】
吸着分離に使用される上記脱着剤はパラジエチルベンゼンまたはトルエンであることを特徴とする請求項１に記載の吸着分離方法。
【請求項１４】
請求項１に記載の吸着分離方法の適用装置であって、
ｍ個の吸着剤床を備える疑似移動床を備え、各吸着剤床にはグリッドが設けられ、各グリッドには材料の供給および排出を行うための吸着剤床のパイプラインが設けられ、
材料の供給および排出を行う当該パイプラインはｐ個の流入および流出用のパイプラインと接続され、当該ｐ個の流入および流出用のパイプラインは並列接続され、各パイプラインには１個のバルブが設置され、
吸着分離方法では、ＳＭＢに供給されてそこから排出される材料流がｎ本存在し、組成物および流れ方向がそれぞれ同一の材料がｓ種類存在し、ｓ≦ｐ＜ｎであることを特徴とする適用装置。
【請求項１５】
ｎは６〜８の整数であり、ｐは５〜７の整数であり、ｍは１２〜３０の整数であることを特徴とする請求項１４に記載の適用装置。
【請求項１６】
２つの材料流が通過する各吸着剤床内のパイプライン内には、流量制御バルブが設置されることを特徴とする請求項１４に記載の適用装置。
【発明の詳細な説明】
【発明の詳細な説明】
【０００１】
〔技術分野〕
本発明は炭化水素を吸着により分離する方法および装置に関し、具体的には、炭化水素の異性体を疑似移動吸着剤床（ＳＭＢ）式吸着により分離精製する方法および装置に関する。
【０００２】
〔背景技術〕
吸着分離法は、沸点差が極めて小さい異性体または異なる構造的特徴を有する異なる成分を分離（例えば、ｐ−キシレンを他のＣ８芳香族異性体から分離およびｎ−アルカンを他の構造を有する炭化水素から分離）するのに非常に効果的である。
【０００３】
ＳＭＢ式吸着による分離方法は、液相および固相の向流接触を実現して分離効率を向上させている。ＵＳ２９８５５８９、ＵＳ３２０１４９１、ＵＳ３６２６０２０、ＵＳ３６８６３４２、ＵＳ３９９７６２０、およびＵＳ４３２６０９２では、ＳＭＢ式吸着による分離装置および方法と、当該分離装置および方法をｐ−キシレンおよびｍ−キシレンの分離のために使用することとが記載されている。Ｄｏｕｇｌａｓ Ｍ. Ｒｕｔｈｖｅｎは、Ｃｈｅｍｉｃａｌ Ｅｎｇｉｎｅｅｒｉｎｇ Ｓｃｉｅｎｃｅ（１９８９, ｖ４４（５）：１０１１−１０３８）において、連続向流式吸着による分離方法の原理、開発、試験、モデル研究、および産業方法を要約している。
【０００４】
標準的なＳＭＢ式吸着分離方法は、少なくとも２つの投入材料（すなわち、原料（Ｆ）および脱着剤（Ｄ））流および少なくとも２つの排出材料（すなわち、抽出物（Ｅ）およびラフィネート（Ｒ））流を備え、当該抽出物には標的生成物が混入している。各投入材料流が吸着カラムに供給される位置または各排出材料流が吸着カラムから排出される位置は定期的に移動される。吸着カラム内において材料流の方向に沿って供給される材料および排出される材料は、順に、脱着剤（Ｄ）、抽出物（Ｅ）、原料（Ｆ）、およびラフィネート（Ｒ）である。吸着カラム内で材料を循環させることにより閉ループを構成する。吸着カラムへの材料の投入および吸着カラムからの材料の排出を制御する装置を回転バルブまたは一連の開閉バルブとしてもよい。
【０００５】
吸着分離処理の最中では、複数の材料流は、送達パイプラインを共有して吸着カラムへ投入されるか、もしくは吸着カラムから排出される。上記吸着カラムの特定の吸着剤床位置内へ延伸し、且つ当該特定の吸着剤床位置から外側へ延伸する上記送達パイプラインは、ラフィネート（Ｒ）、原料（Ｆ）、抽出物（Ｅ）、および脱着剤（Ｄ）を順に通過させる。抽出物（Ｅ）は、先に通過した材料が上記送達パイプライン内に残留することによって汚染が生じてしまう。
【０００６】
ＵＳＰ３２０１４９１では、連続分離吸着法により得られる生成物の純度を高める方法が開示されている。残留した原料によって抽出物の汚染が生じる状況に関しては、「供給流を受ける供給注入口流体分散中央部内への供給注入口と接触領域への供給注入口との間の流れのラインにおける液体容量を実質的に上回らない量で、供給流注入口の上流側に隣接して設けられた液体注入口内に向けて原料から分離可能な流体を含む洗浄流を投入する」ことが開示されている。上記洗浄液は、脱着剤注入口の下流側に固定された吸着剤の塊から除去される高脱着剤濃度の流れであるか、または、脱着領域を含む最も下流側の吸着剤の塊から回収した高吸収剤濃度の流れである。
【０００７】
ＵＳＰ５７５０８２０では、マルチプルグレード（ｍｕｌｔｉｐｌｅ ｇｒａｄｅ）洗浄式の吸着分離方法が開示されている。上記吸着分離方法は、多成分の供給流から標的生成物を分離する方法であって、多成分の供給流を少なくとも１つの液通導管を介して装置内部へ導入する工程、第１の原料から得られる、少なくとも１つの所望成分を初期濃度で含む少なくとも１つの初期洗浄溶剤によって、少なくとも１つの液通導管を有する装置から当該供給流の残留物を洗浄するように、十分な量の当該初期洗浄溶剤で当該装置を洗浄する工程、第２の原料から得られ、当該少なくとも１つの所望成分を最終濃度で含む最終洗浄溶剤について、当該最終濃度が当該初期濃度より高くなるように、且つ、当該最終洗浄溶剤によって、当該液通導管内の当該初期洗浄溶剤の残留物を洗浄して当該装置内へと流すように、十分な量の当該最終洗浄溶剤で当該装置を洗浄する工程、および、当該装置から標的生成物を回収する工程を備え、当該第１の原料は当該第２の原料と異なる原料であり、当該第１の原料および当該第２の原料の少なくとも一方は吸着分離装置から隔てられている方法である。
【０００８】
ＵＳＰ５９７２２２４では、疑似流動吸着剤床内における生成物の純度を向上させる方法および装置が開示されている。上記装置は固体または吸着剤を設けた多数の吸着剤床（Ａ１〜Ａｎ）を備え、当該多数の吸着剤床（Ａ１〜Ａｎ）は少なくとも１つの吸着カラム内に含まれ、各吸着剤床の間には液体分配プレート（Ｐｉ）が設けられ、各液体分配プレートは多数のセクター（Ｐ１０、Ｐ１１、Ｐ１２）に区分され、各セクター（Ｐｉ）は、開口部を設けた少なくとも１つの分配室と、当該少なくとも１つの分配室の開口部の近傍の液体循環空隙とを備え、当該少なくとも１つの分配室は、当該少なくとも１つの分配室と当該少なくとも１つの吸着カラムの外部の位置との間に延伸する移送ラインに接続され、サイクル期間Ｔでは、異なる液体分配プレートの分配室に対する各原料の注入、且つ当該異なるプレートの分散室に対して注入された各原料の排出が行われ、上記方法は、上記液体分配プレートの異なる分配室を接続するバイパスライン内を液量が適当な流速で永続的に循環することを特徴とし、洗浄液は、循環している当該液体の組成物に近い組成物を含んでいる。上記方法および上記装置の目的は、外部から導入される洗浄材および上記吸着カラム内の材料の組成物の差異が大きくなることで発生する分離方法の障害を回避することにある。しかし、上述の解決法では、課題（すなわち、吸着剤床内のチャネリング流に相当し、且つ吸着分離処理にとって不都合となる、吸着室を通過しない材料流）が生じる。
【０００９】
ＣＮ２００７１０１３９９９１．１は、バルブの数を減少させるという解決策が提供されている。疑似移動吸着剤床（ＳＭＢ）式分離装置は、カラムと、プレートＰｉによって隔てられている吸着剤床Ａｉと、液体（特に、供給物Ｆ、脱着剤Ｄ、ラフィネートＲ、および抽出物Ｅ）の分配および抽出のための単一のネットワークと、該液体を分配するのに使用される幾つかの二方バルブとを備える。上記カラムは、重ね合された２つまたは３つの吸着剤床を有する幾つかのセグメントＳｋに区分される。各セグメントＳｋは外部バイパスパイプラインＬＫを備えており、当該外部バイパスパイプラインＬＫは、セグメントＳｋの吸着剤床の一つ一つに対応するバルブＶｉを含む連結パイプを介して、セグメントＳｋの各吸着剤床に接続されている。各外部バイパスパイプラインＬＫは、その内部の流れを限定する制御装置を備えているとともに、単一のパイプラインを介して液体ネットワークＦ、Ｄ、Ｒ、およびＥの各々に接続されている。上記単一のパイプラインは制御可能な単一の二方向遮断バルブを備え、当該二方向遮断バルブは、上記セグメントＳｋに対して対応の液体Ｆ、Ｄ、Ｒ、またはＥを提供するか、または上記セグメントＳｋから対応の液体Ｆ、Ｄ、Ｒ、またはＥを回収するために使用される。上記解決法によりバルブの数は著しく減少させることが可能であるが、制御の複雑性が増大してしまう。さらに、特定のセグメントに至る液体ネットワークのバルブの不良により、当該セグメントの各吸着剤床が影響を受けてしまう結果、システムの信頼性が大きく低下することになる。
【００１０】
〔発明の開示〕
本発明の課題は、制御バルブの個数が減少されている、疑似移動吸着剤床（ＳＭＢ）式吸着分離のための方法および装置を提供することである。上記方法では、吸着分離の標的生成物の純度、収率、処理量を確保する条件の下、制御バルブの個数を大きく減少させて、設備投資を著しく減少させることが可能である。
【００１１】
本発明により提供される、制御バルブの個数を減少させた疑似移動吸着剤床（ＳＭＢ）式の吸着分離方法は、異性体を含む原料をＳＭＢにより吸着して分離する工程を備え、当該ＳＭＢは吸着剤から構成されるｍ個の吸着剤床を備え、各吸着剤床にはグリッドが設けられ、各グリッドには吸着剤床の材料供給および排出用のパイプラインが設けられ、ＳＭＢへ供給され、当該ＳＭＢから排出される材料は、吸着原料、脱着剤、抽出物、ラフィネート、および、異なる吸着剤床から供給される洗浄液を少なくとも含み、当該抽出物には標的生成物が混入し、当該吸着原料、当該脱着剤、当該抽出物、および当該ラフィネートの何れか１つから選択される当該洗浄液の液流が少なくとも２つ存在し、当該ＳＭＢについて供給および排出される材料の材料流は全部でｎ本存在し、組成物および流れ方向がそれぞれ同一の材料がｓ種類存在し、吸着剤床へ供給されてそこから排出される材料のｎ本の材料流を制御するようにｐ組の開閉バルブが使用され、１組のバルブにより組成物および流れ方向がそれぞれ同一の２つの材料流の少なくとも１つが制御され、ｓ≦ｐ＜ｎであり、ＳＭＢの作業方法において、材料の供給および排出を制御するよう使用される上記閉開バルブの総数はｐ×ｍである。
【００１２】
本発明の方法は、疑似移動吸着剤床を用いて異性体の吸着分離を行い、ＳＭＢへ供給され、当該ＳＭＢから排出される材料（吸着原料、脱着剤、抽出物、およびラフィネート）のうち最も塩基性の高い何れか１つを洗浄液として使用し、且つＳＭＢへ供給されてそこから排出される材料を制御するように閉開バルブを使用する。上記ＳＭＢへ供給されてそこから排出される材料に関しては、全部でｎ本の材料流がある。組成物および流れ方向がそれぞれ同一の材料からなる少なくとも１つの材料群は一組のバルブにより制御され、これにより上記ＳＭＢの閉開バルブの数が効果的に減少され、パイプラインの数が減少され、且つ作業方法が最適化される。
【００１３】
〔図面の簡単な説明〕
図１は、比較例１において一工程時間内に吸着カラムへ供給され、当該吸着カラムから排出される材料を制御するバルブの設定の図表示を示す。
【００１４】
図２は、本発明の実施例１において一工程時間内に吸着カラムへ供給され、当該吸着カラムから排出される材料を制御するバルブの設定の図表示を示す。
【００１５】
図３は、本発明の実施例２において一工程時間内に吸着カラムへ供給され、当該吸着カラムから排出される材料を制御するバルブの設定の図表示を示す。
【００１６】
図４は、本発明の実施例３において一工程時間内に吸着カラムへ供給され、当該吸着カラムから排出される材料を制御するバルブの設定の図表示を示す。
【００１７】
図５は、比較例２において一工程時間内に吸着カラムへ供給され、当該吸着カラムから排出される材料を制御するバルブの設定の図表示を示す。
【００１８】
図６は、本発明の実施例４において一工程時間内に吸着カラムへ供給され、当該吸着カラムから排出される材料を制御するバルブの設定の図表示を示す。
【００１９】
〔発明を実施するための形態〕
本発明の方法は、組成物および流れ方向がそれぞれ同一であり、且つ吸着剤床に供給され、当該吸着剤床から排出されるＳＭＢ内の２つの材料流を単一のバルブによって制御する。また、当該制御バルブの開放時間を制御することで当該吸着剤床に供給される材料の量を制御するので、材料の供給および排出を制御するために当該ＳＭＢにて使用している開閉バルブの数を減少させている。
【００２０】
本発明の方法の吸着分離に使用するＳＭＢは１つ以上の吸着カラムを備え、各吸着カラムはグリッドによって多数の吸着剤床に区分される。上記グリッドは、先行の吸着剤床から後続の吸着剤床へ材料を再分配する機能、当該先行の吸着剤床から供給される材料と外部から導入される材料を均一に混合する機能、および当該先行の吸着剤床から供給される材料の一部を吸着カラムから回収する機能を有する。上記グリッドは、液体を通過させる一方で、吸着剤床から流出する吸着剤粒子を遮断する。上記グリッドの上面および下面は、通常、織りワイヤークロス、金属焼結スクリーン、またはＪｏｈｎｓｏｎ Ｓｃｒｅｅｎである。外部から特定の吸着剤床に導入される材料および先行の吸着剤床（したがって、吸着カラム）から回収される材料は、吸着剤床のグリッドに接続されているパイプランを介して、吸着剤床へ供給され、そして当該吸着剤床から排出される。
【００２１】
本発明の方法において吸着カラムへ供給され、そして当該吸着カラムから排出される材料は、原料（Ｆ）、脱着剤（Ｄ）、抽出物（Ｅ）、ラフィネート（Ｒ）、および、少なくとも洗浄液を、少なくとも含む。原料は、吸着分離により精製される標的生成物を含む少なくとも２つ以上の成分を含む混合物である。原料の各成分は、吸着剤に関して異なる選択性を有している。吸着剤は、標的生成物に関してより高い吸着選択性を有している。脱着剤は、その沸点が原料の沸点から大きく異なっているので、原料の成分から精留によって分離されてもよい。抽出物には標的生成物が混入している。抽出物は、その一方で脱着剤の一部を含んでいる。ラフィネートは、標的生成物を少量含んでいる。ラフィネートの含有量が少ないほど、分離吸着効率が高くなる。ラフィネートの主な成分は、脱着剤、および標的生成物以外の原料の成分である。脱着剤は、精留カラムによって抽出物およびラフィネートからそれぞれ分離され、再利用される。
【００２２】
上記吸着カラム内の供給材料および排出材料は、材料流の流れ方向に沿って順に、脱着剤（Ｄ）、抽出物（Ｅ）、原料（Ｆ）、およびラフィネート（Ｒ）である。上記脱着剤の流入口と上記抽出物の排出口との間の充填剤吸着剤床は脱着領域である。上記抽出物の排出口と上記原料の流入口との間の吸着剤床は精留領域である。上記原料の流入口と上記ラフィネートの排出口との間の吸着剤床は吸着領域である。上記ラフィネートの排出口と上記脱着剤の流入口の間の吸着剤床は単離領域である。疑似移動吸着剤床は６〜３０個の吸着剤床を備えており、好ましくは１２〜２４個の吸着剤床を備えている。通常、２つの吸着カラムが使用され、吸着剤床は総計で２４個となる。このうち、４〜６個の吸着剤床は脱着領域となり、８〜１０個の吸着剤床は精留領域となり、６〜８個の吸着剤床は吸着領域となり、２〜３個の吸着剤床は単離領域となる。本発明では、洗浄液の供給が行われる、一部の特定材料の供給位置および排出位置の上流および下流は、上記吸着カラム内の当該一部の特定材料の供給位置および排出位置の吸着剤床に対して相対的である。上記吸着カラム内の材料流の流れ方向に沿う方向が下流であり、その反対方向が上流である。例えば、洗浄液は、上記抽出物の回収位置の下流の１つの吸着剤床に対して供給される。すなわち、洗浄液は、上記吸着剤床の材料流の流れ方向において上記抽出物の回収位置の次の吸着剤床に対して供給される。
【００２３】
洗浄を要する残留材料の量を最小限に抑止するために、本発明の方法は、材料の流量の制御に回転バルブを採用せず、その一方で、グリッドに連結したパイプラインに供給材料および排出材料の各々を接続させて、これらをそれぞれの開閉バルブにより制御している。このことにより、開閉バルブを吸着カラムに最大限近付けることを可能にさせて、パイプラインの体積を減少させている。
【００２４】
吸着分離方法に対する送達パイプライン内の残留材料の影響を排除するために、吸着剤床を洗浄液で洗浄する。したがって、ＳＭＢは、供給および排出される材料流をｎ本、吸着剤床をｍ個、組成および流れ方向がそれぞれ同一の材料からなる材料グループであって、各々が２本の材料流から構成されている材料グループをｓ個含んでいる。特定の時点では、材料の供給流および排出流の各流を異なる吸着剤床と接続する閉開バルブのうち、少なくともｓ個〜最大でｎ−１個の閉開バルブが開放状態であり、その他の閉開バルブは閉止状態である。特定の間隔（すなわち、一工程時間）で、材料の放出流および排出流の各流の位置を１吸着剤床分下流に移動させる。上記一作業時間は好ましくは４５秒〜２００秒である。
【００２５】
本発明の方法では、ｎは、ＳＭＢに供給され、当該ＳＭＢから排出される材料流の本数を示し、好ましくは６〜８の整数であり、ｐは、組成物および流れ方向がそれぞれ同一の２本の材料流の組み合わせ後に吸着剤床に供給され、且つ当該吸着剤床から排出される材料流の本数を示し、好ましくは５〜７の整数であり、ｍは１２〜３０の整数である。上記組み合わせ後、上記ＳＭＢに供給された後に上記ＳＭＢから排出されるｎ本の材料流は、ｐ個の開閉バルブによって制御されるｐ本のパイプラインを介して各吸着剤床に供給される。
【００２６】
本発明の１つの解決法は、原料供給位置の上流の１〜２個の吸着剤床および抽出物回収位置の下流の２〜４個の吸着剤床にそれぞれ供給され、且つパイプライン内に滞留する原料（Ｆ）によって抽出物（Ｅ）が影響されることを排除するためにそれぞれ用いられる、２本の洗浄液流を設定することである。なお、洗浄液として抽出物が使用される。上記２本の洗浄液流は、同一組の開閉バルブで制御されるパイプラインを介して上記吸着剤床に供給される。上記抽出物回収位置の下流の２〜４個の吸着剤床に供給される洗浄液は第２の洗浄液である。上記原料供給位置の上流の１〜２個の吸着剤床に供給される洗浄液は第３の洗浄液である。上記２本の洗浄液流は、より高純度の標的生成物を取得することを促進する。精留領域の２つの端部（原料および抽出物の位置にそれぞれ近接する端部）に２本の洗浄液流を設定し、この洗浄液によって吸着剤床を内側に向けて洗浄することを精留領域洗浄と称す。
【００２７】
ＳＭＢ式分離方法の過程では、上記パイプライン内に残存する抽出物（Ｅ）は、脱着剤（Ｄ）によって脱着領域および単離領域の境界内にまで洗い流されるが、これにより収率の減少が招来されてしまう。上記脱着剤は、上記抽出に近接する位置の脱着領域内の吸着剤床の内側に向けて洗い流されてもよいが、上記脱着剤の供給位置に近接する位置の吸着剤床から材料を回収することによって外側に向けて洗い流されてもよく、このような洗浄を脱着領域洗浄と称す。本発明の方法は、上記脱着領域内に第１の洗浄液を設定することが好ましい。上記第１の洗浄液の成分は脱着剤であり、その供給位置は上記抽出物回収位置の上流の１〜２個の吸着剤床である。上記第１の洗浄材および上記脱着剤は、同一組の開閉バルブにより制御されるパイプラインを介して上記吸着剤床に供給される。２つの洗浄材流は上記精留領域内に設定される。上記２つの洗浄材流は、洗浄液として抽出物を使用し、上記原料供給位置の上流の１〜２個の吸着剤床および上記抽出物回収位置の下流の２〜４個の吸着剤床にそれぞれ供給される。上記２つの洗浄液流は、同一組の開閉バルブにより制御されるパイプラインを介して上記吸着剤床へ供給される。上記抽出物回収位置の下流の２〜４個の吸着剤床に供給される洗浄液を第２の洗浄液とする。上記原料供給位置の上流の１〜２個の吸着剤床に供給される洗浄液を第３の洗浄液とする。
【００２８】
上記ＳＭＢ式分離方法の過程では、パイプライン内に残存するラフィネート（Ｒ）は、原料（Ｆ）によって上記吸着領域内にまで洗い流されるので、標的生成物の吸着容量を減少させてしまう。上記原料は、上記ラフィネートの近接位置の吸着領域内の吸着剤床内を内側に向かって流されてもよいが、上記原料に近接する位置の吸着剤床内を外側に向かって洗い流されてもよく、こうした洗浄を吸着領域洗浄と称する。分離効果に影響を及ぼす要因を最小限に抑止するために、本発明は、上記脱着領域に上記第１の洗浄液を設定し、且つ上記吸着領域に第４の洗浄液を設定することが好ましい。上記第１の洗浄液の成分は脱着剤であり、その供出位置は上記抽出物回収位置の上流の１〜２個の吸着剤床である。上記第４の洗浄液の成分は原料であり、その供出位置は上記ラフィネート回収位置の上流の１〜２個の吸着剤床である。上記第１の洗浄液の流れおよび上記脱着剤は、同一組のバルブによって制御されるパイプラインを介して上記吸着剤床へと供給される。上記原料および上記第４の洗浄液の流れは、同一組のバルブによって制御されるパイプラインを介して上記吸着剤床へと供給される。２つの洗浄液の流れは上記精留領域内に設定される。上記抽出物は上記洗浄液として使用される。上記２つの洗浄液の流れは、上記原料供給位置の上流の１〜２個の吸着剤床および上記抽出物回収位置の下流の２〜４個の吸着剤床へとそれぞれ供給される。上記洗浄液の２つの流れは、同一組のバルブによって制御されるパイプラインを介して上記吸着剤床へと供給される。上記ラフィネート回収位置の下流の２〜４個の吸着剤床へ供給される洗浄液を第２の洗浄液とし、上記原料供給位置の上流の１〜２個の吸着剤床へ供給される洗浄液を第３の洗浄液とする。
【００２９】
本方法に開示の上記第２の洗浄液の体積は、制御バルブから吸着剤床までのパイプラインの総容量の０．５倍〜１．５倍である。上記第３の洗浄液の体積は、制御バルブから吸着剤床までのパイプラインの総容量の１．０倍〜２．５倍である。
【００３０】
上記第１の洗浄液の量は、制御バルブから吸着剤床までのパイプラインの総容量の０．７倍〜１．５倍である。
【００３１】
上記第４の洗浄液の量は、制御バルブから吸着剤床までのパイプラインの総容量の０．６倍〜１．０倍である。
【００３２】
本発明の方法によれば、導入された、同一の組成物を含む材料は、異なる吸着剤床へと延伸する同一の主要パイプラインが通過する同一組のバルブを介して異なる吸着剤床へと供給される。例えば、上記脱着剤および上記第１の洗浄液は１つの主要パイプラインによって送達される。特定の時点では、上記脱着剤および上記第１の洗浄液が必要となる吸着剤床は異なる２つの吸着剤床である。上記脱着剤は、その後、２つの流れとなって吸着剤床の脱着剤制御バルブを介して上記異なる２つの吸着剤床へと供給される。本発明の上記同一組のバルブは、各吸着剤床において同一の標識を有している一群のバルブのことを指す。例えば、Ｄ／Ｃ１と標識される各吸着剤床のバルブが同一組の開閉バルブである。
【００３３】
本発明では、上記２つの材料の流れは、組成物および流れ方向がそれぞれ同一であるが、一工程時間内に必要となる量は異なっている。異なる供給量を実現することが可能な方法としては、２つの方法がある。１つ目の方法では、対応の吸着剤床へと通じている開閉バルブが開放状態となる時間は、必要な材料量に応じて一工程期間中に設定される。より多量の原料を必要とする吸着剤床に対応する開閉バルブは、より長い時間開放される。すなわち、吸着剤床へ供給され、当該吸着剤床から排出される洗浄液を制御するバルブの開放時間によって、洗浄液の量は一工程時間内において制御されるものとする。他の方法では、材料を異なる吸着剤床に供給する経路に流量制御バルブがそれぞれ設置され、同一組の開閉バルブを共有する２つの流れに対応する吸着剤床の開閉バルブは一工程時間内に開口状態に保持され、当該対応の吸着剤床に設置された流量制御バルブを用いて、各吸着剤床に必要な材料量に応じて、容量を制御する。
【００３４】
本発明の方法の適用装置は、ｍ個の吸着剤床を含む疑似移動吸着剤床を備え、各吸着剤床にはグリッドが設けられ、各グリッドには、材料の供給および排出を行うための吸着剤床のパイプラインが設けられ、材料の供給および排出を行うための当該吸着剤床のパイプラインは、流入および排出を行うためのｐ個のパイプラインに接続され、当該流入および排出を行うためのｐ個のパイプラインは並列接続され、各パイプラインには１個の開閉バルブが設置されている。吸着分離方法では、ＳＭＢに供給され、当該ＳＭＢから排出される７本の材料の流れがあり、組成物および流れ方向がそれぞれ同一のｓ種類の材料がある。ここで、ｓ≦ｐ＜ｎであり、ｎは６〜８の整数であり、ｐは５〜７の整数であり、ｍは１２〜３０の整数である。
【００３５】
吸着剤床に供給される材料の容量を制御するために、２本の材料の流れが各吸着剤内へと流入するパイプライン内に流量制御バルブを設置する。上記流量制御バルブの開口度合いによって上記２本の材料の流れが制御される。
【００３６】
本発明の方法を適用可能な吸着分離方法は液相吸着分離方法である。吸着分離温度は好ましくは２０℃〜３００℃である。作業圧によって、システムが完全な液相となることを確実にするものとする。
【００３７】
本発明で吸着分離する異性体は、好ましくはキシレンおよびエチルベンゼンである。吸着分離の標的生成物は、好ましくはパラキシレンまたはメタキシレンである。上記吸着分離で使用する脱着剤は、好ましくはｐ−ジエチルベンゼンまたはトルエンである。
【００３８】
Ｃ８芳香族異性体の混合物からｐ−キシレンを分離する場合、生成物の純度は少なくとも９９．５質量％であることが要求される。上記生成物の純度は、好ましくは９９．７質量％より高い値である。上記脱着剤は、好ましくはｐ−ジエチルベンゼン（ＰＤＥＢ）である。上記吸着剤は、好ましくは、バリウムおよび／またはカリウムで交換したフォージャサイトである。上記吸着剤は、好ましくはＸ型のゼオライトである。通常、２個の吸着カラムが使用されて、吸着剤床は全部で２４個となる。このうち、４〜６個の吸着剤床は脱着領域であり、８〜１０個の吸着剤床は精留領域であり、６〜８個の吸着剤床は吸着領域であり、２〜３個の吸着剤床は単離領域である。作業温度は１２０℃〜１９０℃であり、作業圧は０．８ＭＰａ〜１．２２ＭＰａである。
【００３９】
Ｃ８芳香族異性体の混合物からｍ−キシレン（ＭＸ）を分離する場合、生成物の純度は少なくとも９９．５質量％であることが要求される。上記生成物の純度は、好ましくは９９．７質量％より高い値である。上記脱着剤は、好ましくはトルエンである。上記吸着剤は、好ましくは、アルカリ金属イオンで交換したフォージャサイトである。上記吸着剤は、好ましくはＹ型のゼオライトである。通常、２個の吸着カラムが使用されて、吸着剤床は全部で２４個となる。このうち、４〜６個の吸着剤床は脱着領域であり、８〜１０個の吸着剤床は精留領域であり、６〜８個の吸着剤床は吸着領域であり、２〜３個の吸着剤床は単離領域である。作業温度は１００℃〜１８０℃であり、作業圧は０．８ＭＰａ〜１．２ＭＰａである。
【００４０】
以下の実施例では本発明をさらに開示する。しかし、本発明は以下の実施例に限定されるものではない。
【００４１】
図１〜６は、一工程時間内に開閉している各吸着剤床内のバルブを示す。図中、白色で中抜きのバルブは開放しているバルブを示し、黒色でベタ塗りのバルブは閉鎖しているバルブを示し、バルブの下に記載された英文字は各バルブによって制御される材料を示す。Ｄは脱着剤を示し、Ｅは抽出物を示し、Ｆは原料を示し、Ｒはラフィネートを示す。
【００４２】
〔比較例１〕
ＳＭＢは２４個の吸着剤床を備え、このうち、脱着領域が５個の吸着剤床を有し、精留領域が９個の吸着剤床を有し、吸着領域が７個の吸着剤床を有し、単離領域が３個の吸着剤床を有していた。作業温度を１７７℃とし、作業圧を０．８８ＭＰａとした。エチルベンゼンを含む混合キシレンを原料とし、当該混合キシレンは、１８．４ｗｔ％のＰＸと、４４．５ｗｔ％のＭＸと、２０．２ｗｔ％のＯＸ（ｏ−キシレン）と、１２．１ｗｔ％のエチルベンゼンと、炭素原子数が８〜９のアルカンまたはナフテン、少量のトルエン、および炭素数が９の芳香族炭化水素を含む他の成分とを含むものであった。吸着分離の標的生成物をＰＸとした。吸着剤として、バリウムイオンで交換したＸ型のモレキュラーシーブを主成分とする、ＳＩＰＯＰＥＣ Ｃａｔａｌｙｓｔ Ｃｏｍｐａｎｙ製のＲＡＸ−２０００Ａ型の吸着剤を使用した。上記脱着剤を洗浄液として使用し、抽出物回収位置の上流側の２つ目の吸着剤床に供給される第１の洗浄（Ｃ１）を設定した。抽出物を洗浄液として使用する第２の洗浄（Ｃ２）を上記抽出物回収位置の下流側の２つ目の吸着剤床へ供給した。抽出物を洗浄液として使用する第３の洗浄（Ｃ３）を原料供給位置の上流側の２つ目の吸着剤床へ供給した。原料を洗浄液として使用する第４の洗浄（Ｃ４）を上記抽出物回収位置の上流側の２つ目の吸着剤床へ供給した。一工程時間を８０秒とした。
【００４３】
疑似移動吸着剤床全体へ供給され、当該疑似移動吸着剤床全体から排出される材料の流れは合計で８本ある。各吸着剤床へ供給され、当該各吸着剤床から排出される材料の流れに対して、個々の開閉バルブを配置した。各吸着剤床は８本のパイプラインを有しており、８個の開閉バルブが設置されている。上記８本のパイプラインは、上記吸着剤床のグリッド内において、材料の供給および排出用のパイプラインと接続されている。各吸着剤床において材料の供給および排出を制御するために２４×８＝１９２個の開閉バルブが必要であった。一工程時間内における上記ＳＭＢの各吸着剤床のバルブの配置を図１に示す。
【００４４】
洗浄が必要となるパイプラインの容量を０．０４ｍ３とした。洗浄が必要となる上記パイプラインの容量に対する第１の洗浄液の体積の比を１．２とした。洗浄が必要となる上記パイプラインの容量に対する第２の洗浄液の体積の比を１．０とした。洗浄が必要となる上記パイプラインの容量に対する第３の洗浄液の体積の比を１．２とした。洗浄が必要となる上記パイプラインの容量に対する第４の洗浄液の体積の比を０．９とした。したがって、一工程時間内では、上記第１の洗浄液の体積は０．０４８ｍ３となり、上記第２の洗浄液の体積は０．０４ｍ３となり、上記第３の洗浄液の体積は０．０４８ｍ３となり、上記第４の洗浄液の体積は０．０３６ｍ３となった。全材料の流量は次のようなものであった：原料（Ｆ）、２８．２８ｍ３／ｈ；脱着剤（Ｄ）、３５．７６ｍ３／ｈ；吸着カラムより回収される抽出物（Ｅ）、１９．６９ｍ３／ｈ。しかし、上記抽出物の一部は上記第２および第３の洗浄液の材料として返流することになるため、後段の分離工程用に実際に得られる上記抽出物の流量は１５．７３ｍ３／ｈとなる。また、上記第１の洗浄液（Ｃ１）の流量は２．１６ｍ３／ｈとなり、記第２の洗浄液（Ｃ２）の流量は１．８ｍ３／ｈとなり、上記第３の洗浄液（Ｃ３）の流量は２．１６ｍ３／ｈとなり、上記第４の洗浄液（Ｃ４）の流量は１．６２ｍ３／ｈとなった。上記材料の供給および排出の全体的なバランスが保たれるよう確実にするために、上記ラフィネートの流量をシステム圧によって制御した。
【００４５】
装置による作業の結果より、上記標的生成物の純度は９９．７２％となり、収率は９７．３％となったことが示された。
【００４６】
〔実施例１〕
本発明の方法を使用してｐ−キシレンの分離を行った。原料、脱着剤、吸着剤、作業温度、および作業圧は、比較例１に示したものとそれぞれ同一とした。ＳＭＢ、各領域内の吸着剤床の数、および第４の洗浄液の供給位置は、比較例１に示したものとそれぞれ同一とした。
【００４７】
図２に示すようなバルブの設置形態により、第２および第３の洗浄液の材料を同一の主要パイプラインを介して送達し、その流量を主流量制御バルブによって制御した。上記材料を同一組の開閉バルブを介して吸着剤床へと供給した。すなわち、各吸着剤床のＣ２／Ｃ３共通バルブを介して、洗浄の必要な吸着剤床に対して供給した。ＳＭＢにおける材料の各流れの供給および排出を制御するためには、２４×７＝１６８個の開閉バルブが必要となった。
【００４８】
各回において洗浄が必要となるパイプラインの容量を０．０４ｍ３とした。洗浄が必要となる上記パイプラインの容量に対する第１の洗浄材の体積の比を１．２とした。洗浄が必要となる上記パイプラインの容量に対する第２の洗浄材の体積の比を０．９とした。洗浄が必要となる上記パイプラインの容量に対する第３の洗浄材の体積の比を１．２とした。洗浄が必要となる上記パイプラインの容量に対する第４の洗浄材の体積の比を０．９とした。したがって、一工程時間内では、必要な上記第１の洗浄材の体積を０．０４８ｍ３とし、上記第２の洗浄材の体積を０．０３６ｍ３とし、上記第３の洗浄材の体積を０．０４８ｍ３とし、上記第４の洗浄材の体積を０．０３６ｍ３とした。工程時間を７５秒とした。比較例１と比較して、上記工程時間をより短くしたが、上記吸着剤の循環速度をより加速させ、且つ同一の比率で吸着原料の量を増大させた。全材料の流量は次のようなものであった：原料（Ｆ）、３０．１８ｍ３／ｈ；脱着剤（Ｄ）、３８．１６ｍ３／ｈ；吸着カラムより回収される抽出物（Ｅ）、２０．８２ｍ３／ｈ。しかし、上記抽出物の一部は第２および第３の洗浄の材料として返流することになるため、後段の分離工程用に実際に得られる上記抽出物の流量は１６．７９ｍ３／ｈとなった。また、第１の洗浄（Ｃ１）の流量は２．３ｍ３／ｈとなり、第２の洗浄（Ｃ２）および第３の洗浄（Ｃ３）の総流量は４．０３ｍ３／ｈとなり、第４の洗浄（Ｃ４）の流量は１．７３ｍ３／ｈとなった。
【００４９】
以下の内容は、上述の材料が所要の容量をもって異なる位置内に入ることを可能とするように同一組のバルブを用いてこれら材料を制御する方法を記載するものである。
【００５０】
図２は、一工程時間内において各吸着剤床のパイプライン内の開閉バルブが開放されている状態を記録したものである。０秒の時点では、吸着剤床１上のグリッドに接続されている、脱着剤の制御を行うバルブＤは開いており、吸着剤床４上のグリッドに接続されている第１の洗浄バルブＣ１は開いており、吸着剤床６上のグリッドに接続されている抽出物バルブＥは開いており、吸着剤床８上のグリッドに接続されている共通バルブＣ２／Ｃ３は第２の洗浄液の流入を可能にするように開いており、吸着剤床１５上のグリッドに接続されている原料制御バルブＦは開いており、吸着剤床２０上のグリッドに接続されている第４の洗浄バルブＣ４は開いており、吸着剤床２２上のグリッドに接続されているラフィネートバルブＲは開いており、その一方でそれ以外のバルブは閉じた状態となっている。３２秒が経過した時点では、吸着剤床１３上のグリッドに接続されている共通バルブＣ２／Ｃ３は第３の洗浄液の流入を可能にするように開かれ、上記吸着剤床８上のグリッドに接続されている上記共通バルブＣ２／Ｃ３が閉じられた。７５秒が経過した時点では、上記原料、上記脱着剤、上記抽出物、上記ラフィネート、Ｃ１、およびＣ４の全ての位置が隣の吸着剤床へとシフトした。上記バルブの特定の動作工程は次のようなものであった：吸着剤床２上のグリッドに接続されている脱着バルブＤは開かれ、且つ上記吸着剤床１上のグリッドに接続されている上記脱着バルブＤが閉じられ；吸着剤床５上のグリッドに接続されているバルブＣ１は開かれ、且つ上記吸着剤床４上のグリッドに接続されている上記バルブＣ１は閉じられ；吸着剤床７上のグリッドに接続されている抽出物バルブＥは開かれ、且つ上記吸着剤床６上のグリッドに接続されている上記抽出物バルブＥは閉じられ；吸着剤床１６上のグリッドに接続されている原料バルブＦは開かれ、且つ上記吸着剤床１５上のグリッドに接続されている上記原料バルブＦは閉じられ；吸着剤床２１上のグリッドに接続されているバルブＣ４は開かれ、且つ上記吸着剤床２０上のグリッドに接続されている上記バルブＣ４は閉じられ；吸着剤床２３上のグリッドに接続されているラフィネートバルブＲは開かれ、且つ上記吸着剤床２２上のグリッドに接続されている上記ラフィネートバルブＲは閉じられた。上記共通バルブＣ２／Ｃ３の状態は次のようなものであった：吸着剤床９上のグリッドに接続されている共通バルブＣ２／Ｃ３は開かれ、且つ上記吸着剤床１３上のグリッドに接続されている上記共通バルブＣ２／Ｃ３は閉じられ；７５＋３２秒が経過した時点では、吸着剤床１４上のグリッドに接続されている共通バルブＣ２／Ｃ３バルブは開かれ、且つ当該吸着剤床９上のグリッドに接続されている当該共通バルブＣ２／Ｃ３は閉じられた。各吸着剤床のパイプライン内の材料用の開閉バルブは、各工程時間内において同一の方法で操作された。
【００５１】
比較例１に示すような状況と比較して、使用したバルブの数は合計で２４個少なかった。標的生成物の純度は９９．７１％となり、収率は９７．０％となったことが作業結果より示されたが、これらは比較例１で得られた結果から明白に異なるものではなかった。
【００５２】
〔実施例２〕
本発明の方法を使用してｐ−キシレンの分離を行った。原料、脱着剤、吸着剤、作業温度、および作業圧は比較例１に示すものとそれぞれ同一とした。ＳＭＢ、各領域内の吸着剤床の数、および４つの洗浄液の供給位置は比較例１に示すものとそれぞれ同一とした。
【００５３】
図３に示すようなバルブの設置形態により、脱着剤および第１の洗浄材を同一の主要パイプラインを介して送達し、その流量を主流量制御バルブによって制御した。また、上記脱着剤および第１の洗浄液の両方を同一組の開閉バルブＤ／Ｃ１を介して所要の吸着剤床へ供給した。また、第２の洗浄液および第３の洗浄液を同一の主要パイプラインを介して送達し、その流量を主流量制御バルブによって制御した。また、上記第２の洗浄液および上記第３の洗浄液の両方を同一組の開閉バルブＣ２／Ｃ３を介して所要の吸着剤床へ供給した。また、原料および第４の洗浄液を同一の主要パイプラインを介して送達し、その流量を主流量制御バルブによって制御した。上記原料および上記第４の洗浄液の双方を同一組の開閉バルブＦ／Ｃ４を介して所要の吸着剤床へ供給した。各吸着剤床に供給するその他の抽出物およびラフィネートに対して開閉バルブをそれぞれ設置した。ＳＭＢの８本の材料流の供給および排出を制御するために、合計で２４×５＝１２０個の開閉バルブを必要とした。
【００５４】
各回において洗浄が必要となるパイプラインの容量を０．０４ｍ３とした。一工程時間を８０秒とした。第１の洗浄の洗浄比を１．０とした。第２の洗浄の洗浄比を１．０とした。第３の洗浄の洗浄比を１．５とした。第４の洗浄の洗浄比を０．９とした。したがって、一工程時間内では、上記第１の洗浄液の体積を０．０４ｍ３とし、上記第２の洗浄液の体積を０．０４ｍ３とし、上記第３の洗浄液の体積を０．０６ｍ３とし、上記第４の洗浄液の体積を０．０３６ｍ３とした。
【００５５】
上記脱着剤に必要となる流量を３５．７７ｍ３／ｈとした。上記第１の洗浄に必要な液体の体積を一工程時間内に合計で１．８０ｍ３／ｈの流量とした。その後、上記脱着剤および上記第１の洗浄の共通パイプライン内の総流量を２つの３７．５７ｍ３／ｈの合計に応じて制御した。上記第２の洗浄および上記第３の洗浄の共通パイプライン内の流量は、一工程時間内に通過する液体の体積が２つの０．１０ｍ３の合計値に到達することを可能にするものとし、流量を４．５０ｍ３／ｈとした。上記原料に必要となる流量を２８．２８ｍ３／ｈとした。上記第４の洗浄に必要な液体の体積を一工程時間内に合計で１．６２ｍ３／ｈの流量とした。上記原料および上記第４の洗浄の共通パイプライン内の総流量を２つの２９．９０ｍ３／ｈの合計値に応じて制御した。吸着カラムから回収する抽出物（Ｅ）の流量を１９．３３ｍ３／ｈとした。しかし、上記抽出物の一部は上記第２および第３の洗浄の材料として返流することになるため、後段の分離工程用に実際に得られる上記抽出物の流量は１４．８３ｍ３／ｈとなった。
【００５６】
以下の内容は、上記材料が所要の体積をもって異なる位置に流入できるように、上記材料を上記同一組のバルブによって制御する方法を説明するものである。
【００５７】
一工程時間内では、対応する吸着剤床に供給される脱着剤が通過する上記共通バルブＤ／Ｃ１は常に開かれており；対応する吸着剤床から流出する抽出物が通過する上記バルブＥは常に開かれており；対応する吸着剤床に到達する上記第３の洗浄が通過する上記共通バルブＣ２／Ｃ３は常に開かれており；対応する吸着剤床に到達する上記原料が通過する上記バルブＦ／Ｃ４は常に開かれており；対応する吸着剤床から流出する上記抽出物が通過する上記バルブＲは常に開かれていた。対応の吸着剤床に達する上記第１の洗浄を通過する上記共通バルブＤ／Ｃ１を一工程時間中に７．７秒間開き、その他の期間は閉じていた。対応の吸着剤床に達する上記第２の洗浄を通過させる上記共通バルブＣ２／Ｃ３を一工程時間中に６４秒間開き、その他の期間は閉じていた。対応の吸着剤床に達する上記第４の洗浄を通過させる上記共通バルブＦ／Ｃ４を一工程時間中に８．７秒間開き、その他の期間は閉じていた。
【００５８】
図３は、一工程時間内における各吸着剤床内のバルブの開閉状態を記録したものである。０秒の時点では、吸着剤床１上のグリッドに接続している上記バルブＤ／Ｃ１を上記脱着剤の流入を可能にするように開き、吸着剤床６上のグリッドに接続している上記抽出物バルブＥを開き、吸着剤床１３上のグリッドに接続している上記共通バルブＣ２／Ｃ３を開き、吸着剤床１５上のグリッドに接続している上記バルブＦ／Ｃ４を流入する上記原料に対して開き、吸着剤床２２上のグリッドに接続している上記バルブＲを開き、ラフィネートを排出させ、且つそれ以外のバルブを閉じていた。特定の時点（例えば、８秒が経過した時点）では、吸着剤床８上のグリッドに接続している上記共通バルブＣ２／Ｃ３を当該吸着剤床８の２度目の洗浄を行えるように６４秒間開き、その後の８＋６４＝７２秒が経過した時点で閉じた。特定の時点（例えば、２０秒が経過した時点）では、吸着剤床４上のグリッドに接続している上記共通バルブＤ／Ｃ１を当該吸着剤床４の一度目の洗浄を行えるように７．７秒間開き、その後の２０＋７．７＝２７．７秒が経過した時点で閉じた。特定の時点（例えば、２０秒が経過した時点）では、吸着剤床２０上のグリッドに接続している上記共通バルブＦ／Ｃ４を当該吸着剤床２０の４度目の洗浄が行えるように８．７秒間開き、その後の２０＋８．７＝２８．７秒が経過した時点で閉じた。８０秒が経過した時点では、上記原料、上記脱着剤、上記抽出物、上記ラフィネート、および上記洗浄液Ｃ３の位置全てを隣の吸着剤床へとシフトした。上記バルブの特定の作業工程は次のとおりであった：吸着剤床２上のグリッドに接続している共通バルブＤ／Ｃ１を開き、且つ上記吸着剤床１上のグリッドに接続している上記共通バルブＤ／Ｃ１を閉じ；吸着剤床７上のグリッドに接続している抽出物バルブＥを開き、且つ上記吸着剤床６上のグリッドに接続している上記抽出物バルブＥを閉じ；吸着剤床１４上のグリッドに接続している共通バルブＣ２／Ｃ３を開き、且つ吸着剤床１３上のグリッドに接続している共通バルブＣ２／Ｃ３を閉じ；吸着剤床１６上のグリッドに接続している共通バルブＦ／Ｃ４を開き、且つ上記吸着剤床１５上のグリッドに接続している上記共通バルブＦ／Ｃ４を閉じ；吸着剤床２３上のグリッドに接続されているラフィネートバルブＲを開き、且つ上記吸着剤床２２に接続している上記ラフィネートバルブＲを閉じ；これに対応して、上記第１、第２、および第４の洗浄液を下流の吸着剤床へと移動させ；且つ、上記第１、第２、および第４の洗浄液を下流へと移動させる前では、対応のバルブの閉鎖時間を各吸着剤床に必要となる洗浄液の供給時間と等しくしていた。その他については、同一の方法で行うことが可能である。
【００５９】
特定の吸着剤床に関しては、供給および排出する材料の各流れの流入および排出を制御する方法は次に記載するとおりであった。０秒の時点では、上記特定の吸着剤床へと通じる共通バルブＤ／Ｃ１を開き、上記特定の吸着剤床上のグリッドに接続しているパイプラインを介して脱着剤を上記吸着剤床内へと流入し始めた。このとき、上記特定の吸着剤床は脱着領域内にあった。８０秒間の一工程時間経過後、上記バルブＤ／Ｃ１を閉じ、上記特定の吸着剤床内へ上記脱着剤が流入するのを止め、上記脱着剤を次の吸着剤床内へ流入させた。上記単離領域内にある当初の吸着剤床に供給される材料、またはこの吸着剤床から排出される材料は無くなった。３×８０秒が経過した時点では、上記吸着剤床上のグリッドに接続されている上記バルブＲが開放され、ラフィネートは、上記吸着剤床上のグリッドに接続されているパイプラインを介して吸着カラムから流出し始めた。４×８０秒が経過した時点では、上記吸着剤床上のグリッドに接続されている上記ラフィネートバルブが閉じられ、上記ラフィネートは上記吸着剤床下のグリッドに接続されているパイプラインを介して上記吸着剤床から流出し始め、上記吸着剤床は上記吸着領域内へと移動した。（５×８０＋２０）秒が経過した時点では、上記吸着剤床へと通じる共通バルブＦ／Ｃ４は、Ｃ４洗浄が行われるように開かれた。（５×８０＋２８．７）秒が経過した時点では、上記共通バルブＦ／Ｃ４が閉じられた。１０×８０秒が経過した時点では、上記吸着剤床へと通じる共通バルブＦ／Ｃ４が開放され、上記原料は、上記吸着剤床上のグリッドに接続されているパイプラインを介して上記吸着剤床内に流入し始めた。このとき、上記吸着剤床は依然として上記吸着領域内にあった。１１×８０秒が経過した時点では、上記吸着剤床へと通じる上記共通バルブＦ／Ｃ４が閉じられる一方で、上記吸着剤床へと通じる上記共通バルブＣ２／Ｃ３は、Ｃ３洗浄が行われるように開放された。このとき、上記吸着剤床は上記精留領域内へと移動された。１２×８０秒が経過した時点では上記吸着剤床へと通じる上記共通バルブＣ２／Ｃ３が閉じられた。（１７×８０＋８）秒が経過した時点では、上記吸着剤床へと通じる上記共通バルブＣ２／Ｃ３は、Ｃ２洗浄が行われるように開放された。（１７×８０＋７２）秒が経過した時点では、上記吸着剤床へと通じる上記共通バルブＣ２／Ｃ３が閉じられた。１９×８０秒が経過した時点では、上記吸着剤床上のグリッドに接続されている上記抽出物バルブＥが開放され、上記抽出物は、上記吸着剤床上のグリッドに接続されているパイプラインを介して吸着カラムから流失し始めた。２１×８０秒が経過した時点では、上記吸着剤床上のグリッド内のパイプラインに接続されている上記抽出バルブＥは閉じられ、上記抽出物は、上記吸着剤床下のグリッドに接続されているパイプラインを介して上記吸着カラムから流出し始めた。このとき、上記吸着剤床は上記脱着領域内へと移動した。（２１×８０＋２０）秒が経過した時点では、上記吸着剤床へと通じる上記共通バルブＤ／Ｃ１は、上記Ｃ１洗浄が行われるように開放された。（２１×８０＋２７．７）秒が経過した時点では、上記バルブが閉じられた。２４×８０秒が経過した時点��は、上記吸着剤床へと通じる上記共通バルブＤ／Ｃ１が開放され、上記脱着剤は、上記吸着剤床内へ再度流入した。こうして完全な循環を実現した。
【００６０】
比較例１に示すような状況と比較して、使用された開閉バルブの数は合計で７２個少なかった。標的生成物の純度は９９．７４％であり、その収率は９６．９％であったことが作業結果により示されたが、これらは比較例１で得られた結果と目立って異なるものではなかった。
【００６１】
〔実施例３〕
本発明の方法を使用してｐ−キシレンの吸着分離を行った。原料、脱着剤、吸着剤、作業温度、および作業圧については、比較例１に記載のものとそれぞれ同一とした。ＳＭＢおよび各領域内の吸着剤床層の数については、双方とも比較例１に記載のものと同一とした。第１の洗浄（Ｃ１）を設置した。上記第１の洗浄は、抽出物回収位置に対して上流側に位置する２番目の吸着剤床に供給される脱着剤である。第２の洗浄（Ｃ２）は抽出物であり、上記抽出物回収位置に対して下流側に位置する２番目の吸着剤床へと供給された。第３の洗浄（Ｃ３）は抽出物であり、原料供給位置に対して上流側に位置する２番目の吸着剤床へ供給された。比較例１のように、第４の洗浄は設置されなかった。
【００６２】
上記バルブの設置は図４に従って行われた。上記第２および第３の洗浄の材料は同一のパイプラインを介して送達され、これら洗浄の材料の流量は主要の流量制御バルブによって制御された。上記第２および第３の洗浄の材料は同一組の開閉バルブＣ２／Ｃ３を介して各吸着剤床へ供給された。流量制御バルブは、各吸着剤床へと通じるＣ２／Ｃ３共通パイプライン内に設置された。各吸着剤床へ供給される材料の他の流れの各々について、開閉バルブがそれぞれ設置された。材料の供給および排出を行う７本の流れを制御するために、合計で２４×６＝１４４個の開閉バルブを必要とした。
【００６３】
洗浄が必要となるパイプラインの容量を０．０４ｍ３とした。一工程時間を７５秒とした。比較例１と比較して、上記工程時間はより短くなり、且つ、上記吸着剤は循環速度が増大されるとともに、その量が同一の比率をもって増大された。上記第１の洗浄の比を１．０とした。上記第２の洗浄の比を０．９とした。上記第３の洗浄の比を１．２とした。したがって、一工程時間内において、第１の洗浄液の量を０．０４ｍ３とし、第２の洗浄液の量を０．０３６ｍ３とし、第３の洗浄液の量を０．０４８ｍ３とした。各洗浄材の流量は次のとおりであった：原料（Ｆ）、３１．９ｍ３／ｈ；脱着剤（Ｄ）、３８．１６ｍ３／ｈ；吸着カラムより回収される抽出物（Ｅ）、２０．４３ｍ３／ｈ。しかし、上記抽出物の一部は上記第２および第３の洗浄の材料として戻されることになるため、後段の分離工程用に実際に得られる上記抽出物の流量は１６．４０ｍ３／ｈとなり、上記第１の洗浄（Ｃ１）の流量は１．９２ｍ３／ｈとなり、上記第２の洗浄（Ｃ２）および上記第３の洗浄（Ｃ３）の総流量は４．０３ｍ３／ｈとなった。
【００６４】
以下の内容は、所要量の原料が異なる位置内に流入することを可能にするように、２つの原料の流れを同一の一組のバルブを用いて制御するとともに、各吸着剤床へと通じる分岐パイプライン内の上記流量制御バルブを異なる開放度合いに設定する方法を開示するものである。
【００６５】
図４は、一工程時間内における各吸着剤床のバルブの開閉状態を示す。０秒の時点では、吸着剤床１上のグリッドに接続されている脱着剤バルブＤは開放されており、吸着剤床４上のグリッドに接続されているバルブＣ１は開放されており、吸着剤床６上のグリッドに接続されている抽出物バルブＥは開放されており、吸着剤床８上のグリッドに接続されている共通バルブＣ２／Ｃ３は開放されており、吸着剤床１３上のグリッドに接続されている共通バルブＣ２／Ｃ３は開放されており、吸着剤床１５上のグリッドに接続されている原料バルブＦは開放されており、且つ吸着剤床２２上のグリッドに接続されているラフィネートバルブＲは開放されていたが、その一方でこれら以外のバルブは閉じられていた。上記吸着剤床８へ供給される上記第２の洗浄の流量を調節するバルブの開放度合いは、上記吸着剤床１３へ供給される上記第３の洗浄の流量を調節するバルブの開放度合いと異なるものとした。上記吸着剤床８へ供給される上記第２の洗浄の流量を調節するバルブの開放度合いは比較的小さいので、上記第２の洗浄の流量は１．７３ｍ３／ｈの標的流量となった。上記吸着剤床１３へ供給される上記第３の洗浄の流量を調節するバルブの開放度合いは比較的大きいので、上記第３の洗浄の流量は２．３０ｍ３／ｈの標的流量となった。７５秒が経過した時点では、上記原料の位置と、上記脱着剤の位置と、上記抽出物の位置と、上記ラフィネート、およびＣ１、Ｃ２、およびＣ３の洗浄の位置とは全て隣の吸着剤床へとシフトされた。バルブの特定の作業工程は次のようにした。上記吸着剤床２上のグリッドに接続されている脱着剤バルブＤは開放され、その一方で上記吸着剤床１上のグリッドに接続されている脱着剤バルブＤは閉じられ；吸着剤床５上のグリッドに接続されているバルブＣ１は開放され、その一方で上記吸着剤床４上のグリッドに接続されているバルブＣ１は閉じられ；上記吸着剤床７上のグリッドに接続されている抽出物バルブＥは開放され、吸着剤床６上のグリッドに接続されている抽出物バルブＥは閉じられ；上記吸着剤床９上のグリッドに接続されている共通バルブＣ２／Ｃ３は開放され、その一方で上記吸着剤床８上のグリッドに接続されている上記共通バルブＣ２／Ｃ３は閉じられ；吸着剤床１４上のグリッドに接続されている共通バルブＣ２／Ｃ３は開放され、その一方で上記吸着剤床１３上のグリッドに接続されている上記共通バルブＣ２／Ｃ３は閉じられ；吸着剤床１６上のグリッドに接続されている原料バルブＦは開放され、その一方で上記吸着剤床１５上のグリッドに接続されている上記原料バルブＦは閉じられ；吸着剤床２３上のグリッドに接続されているラフィネートバルブＲは開放され、その一方で上記吸着剤床２２上のグリッドに接続されている上記ラフィネートバルブＲは閉じられ；上記シフト前では、上記吸着剤床９および１４へと通じる上記共通バルブＣ２／Ｃ３内の上記流量制御バルブの開放度合いは、上記シフト前の対応の吸着剤床の共通バルブＣ２／Ｃ３内の流量制御バルブの開放度合いと同一となるように事前に調節され、且つ、上記吸着剤床１４へと通じる流量制御バルブの開放度合いは、上記吸着剤床９へと通じる流量制御バルブの開放度合いよりも大きなものであった。
【００６６】
第４の洗浄は設定されていなかったため、収率は減少した。上述の動作の結果より、生成物の純度は９９．７１％となり、収率は９４．９％となったことが示された。
【００６７】
〔比較例２〕
ｐ−キシレンの吸着分離を行う従来の方法と、ＳＭＢと、各領域内の吸着剤床の数と、吸着原料と、吸着剤と、脱着剤と、作業温度と、作業圧とは、比較例１のものとそれぞれ同一とした。脱着剤の供給位置に対して下流に位置する最初の吸着剤床の吸着カラムから外側へ向けて急流する第１の洗浄（Ｃ１）を設定した。洗浄液として脱着剤を使用する第２の洗浄（Ｃ２）は、抽出物回収位置に対して下流に位置する最初の吸着剤床へ供給された。上記第１の洗浄で回収される材料を洗浄液として使用する第３の洗浄（Ｃ３）は、原料供給位置に対して上流に位置する２番目の吸着剤床へ供給された。上記原料を洗浄液として使用する第４の洗浄（Ｃ４）は、ラフィネート回収位置に対して上流に位置する２番目の吸着剤床へ供給された。一工程時間を８０秒間とした。洗浄が必要となるパイプラインの容量を０．０４ｍ３とした。洗浄が必要となる上記パイプラインの容量に対する第１の洗浄材の体積の比は１．２とした。洗浄が必要となる上記パイプラインの容量に対する第２の洗浄材の体積の比を１．０とした。上記第１の洗浄材の体積と同一とする第３の洗浄材の体積は、洗浄が必要となる上記パイプラインの容量の１．２倍とした。洗浄が必要となる上記パイプラインの容量に対する第４の洗浄材の体積の比を０．８とした。各材料の流量は次のようにした：原料（Ｆ）、２８．４６ｍ３／ｈ；脱着剤（Ｄ）、３５．７６ｍ３／ｈ；抽出物（Ｅ）、１９．６９ｍ３／ｈ；第１の洗浄（Ｃ１）、２．１６ｍ３／ｈ；第２の洗浄（Ｃ２）、１．８ｍ３／ｈ；第３の洗浄（Ｃ３）、２．１６ｍ３／ｈ；第４の洗浄（Ｃ４）、１．４４ｍ３／ｈ。
【００６８】
疑似移動吸着剤床の全体へ供給され、その当該疑似移動吸着剤床の全体から排出される材料の流れは合計で８本とした。各吸着剤床に供給され、その当該各吸着剤床から排出される材料の各流れに対して、個々の開閉バルブが設置された。各吸着剤床は８本のパイプラインを有し、８個の開閉バルブが設置された。８本のパイプラインは、上記吸着剤床のグリッド内の材料供給排出パイプラインに接続されていた。各吸着剤床内の材料の供給および排出を制御するために、合計で２４×８＝１９２個の開閉バルブが必要となった。一工程時間内におけるＳＭＢの各吸着剤床のバルブの配置を図５に示す。生成物の純度は９９．７１％となり、収率は９２％となった。
【００６９】
〔実施例４〕
本発明の方法を使用してｐ−キシレンの吸着分離を行った。ＳＭＢと、各領域内の吸着剤床の数と、吸着原料と、吸着剤と、脱着剤と、作業温度と、作業圧と、工程時間と、第４の洗浄の位置および体積とについては、比較例２に示すものとそれぞれ同様とした。
【００７０】
図６に示すようなバルブの設置形態によれば、脱着剤および第２の洗浄の材料を同一の主要のパイプラインを介して送達し、その流量を主要の流量制御バルブによって制御した。上記脱着剤および上記第２の洗浄液の両方は、同一組の開閉バルブＤ／Ｃ２を介して所要の吸着剤床へと供給した。また、上記原料および第４の洗浄液は同一の主要パイプラインを介して送達し、その流量は主要流量制御バルブによって制御した。上記原料および上記第４の洗浄液は、同一組の開閉バルブＦ／Ｃ４を介して所要の吸着剤床へ供給した。他のラフィネート、抽出物、および、各吸着剤床に供給される第１および第３の洗浄に対しては、開閉バルブをそれぞれ設置した。ＳＭＢの８本の材料流の供給および排出を制御するために、合計で２４×６＝１４４個の開閉バルブが必要となった。
【００７１】
各材料の流量は次のようにした。原料および第４の洗浄（Ｆ／Ｃ４）の総体積を２９．９ｍ３／ｈとし；脱着剤および第２の洗浄（Ｄ／Ｃ２）の総体積を３７．５６ｍ３／ｈとし；抽出物（Ｅ）の体積を１９．６９ｍ３／ｈとし；第１の洗浄の体積（Ｃ１）を２．１６ｍ３／ｈとし；第３の洗浄（Ｃ３）の体積を２．１６ｍ３／ｈとした。以下の内容は、所要量の原料が異なる位置内に流入することを可能にするように、同一の一組のバルブを用いて材料を制御する方法を開示するものである。
【００７２】
図６は、一工程時間内における各吸着剤床のパイプライン内のバルブの開閉状態を示す。一工程時間内では、対応の吸着剤床へ供給される脱着剤が通過する共通バルブＤ／Ｃ２は常に開放されており；対応の吸着剤床へ到達する第１の洗浄が通過するバルブＣ１は常に開放されており；対応の吸着剤床から流出する抽出物が通過するバルブＥは常に開放されており；対応の吸着剤床に到達する第３の洗浄が通過するバルブＣ３は常に開放されており；対応の吸着剤床へ供給される原料が通過する共通バルブＦ／Ｃ４は常に開放されており；対応の吸着剤床から流出する抽出物が通過するバルブＲは常に開放されており；対応の吸着剤床に到達する第２の洗浄が通過する共通バルブＤ／Ｃ２は、一工程時間内に７．６７秒間開放された状態であり、それ以外の期間は閉じられた状態のままであり；対応の吸着剤床へ到達する第４の洗浄が通過する共通バルブＦ／Ｃ４は、一工程時間内に７．７１秒間開放された状態であり、それ以外の期間は閉じられた状態のままである。
【００７３】
０秒の時点では、吸着剤床１上のグリッドに接続されているバルブＤ／Ｃ２は、脱着剤の流入を可能にするように開放されていた。また、吸着剤床２上のグリッドに接続されている第１の洗浄（Ｃ１）バルブは開放されており、吸着剤床６上のグリッドに接続されている抽出物バルブＥは開放されており、吸着剤床１３上のグリッドに接続されている上記第３の洗浄（Ｃ３）用のバルブは開放されており、原料の流れを流入させるように、吸着剤床１５上のグリッドに接続されている上記バルブＦ／Ｃ４は開放されており、吸着剤床２２上のグリッドに接続されているバルブＲは開放されており、ラフィネートは流出しており、且つこれら以外のバルブは閉じられていた。特定の時点（例えば、８秒が経過した時点）では、吸着剤床７上のグリッドに接続されている共通バルブＤ／Ｃ２は、当該吸着剤床７の２度目の洗浄が行われるように７．６７秒間開放され、その後に８＋７．６７＝１５．６７秒が経過した時点で閉じられた。特定の時点（例えば、２０秒が経過した時点）では、吸着剤床２０上のグリッドに接続されている共通バルブＦ／Ｃ４は、当該吸着剤床２０に上記第４の洗浄が行われるように７．７１秒間開放され、その後の２０＋７．７１＝２７．７１秒が経過した時点で閉じられた。８０秒が経過した時点では、上記原料の位置と、上記脱着剤の位置と、上記抽出物の位置と、上記ラフィネートの位置と、上記第１の洗浄Ｃ１の位置と、上記第３の洗浄Ｃ３の位置との全てが隣の吸着剤床へとシフトされた。上記バルブの特定の作業工程は次のとおりであった：上記吸着剤床２上のグリッドに接続されている上記共通バルブＤ／Ｃ２は開放され、その一方で上記吸着剤床１上のグリッドに接続されている上記共通バルブＤ／Ｃ２は閉じられ；上記吸着剤床３上のグリッドに接続されている上記第１の洗浄（Ｃ１）用のバルブは開放され、その一方で上記吸着剤床２上のグリッドに接続されている上記第１の洗浄（Ｃ１）用のバルブは閉じられ；上記吸着剤床７上のグリッドに接続されている上記抽出物バルブＥは開放され、その一方で上記吸着剤床６上のグリッドに接続されている上記抽出物バルブＥは閉じられ；上記吸着剤床１４上のグリッドに接続されている上記バルブＣ３は開放され、その一方で上記吸着剤床１３上のグリッドに接続されている上記バルブＣ３は閉じられ；上記吸着剤床１６上のグリッドに接続されている上記共通バルブＦ／Ｃ４は開放され、その一方で上記吸着剤床１５上のグリッドに接続されている上記共通バルブＦ／Ｃ４は閉じられ；上記吸着剤床２３上のグリッドに接続されている上記ラフィネートバルブＲは開放され、その一方で上記吸着剤床２２上のグリッドに接続されている上記ラフィネートバルブＲは閉じられ；上記第２および第４の洗浄の位置は吸着剤床一つ分下流に移動され；上記吸着剤床８上のグリッドに接続されている上記共通バルブＤ／Ｃ２は、８８秒が経過した時点で開放され、その後の９５．６７秒が経過した時点で閉じられ；上記吸着剤床２１上のグリッドに接続されている上記共通バルブＦ／Ｃ４は、１００秒が経過した時点で開放され、その後の１０７．７１秒が経過した時点で閉じられ；同様の方法により、その他全てのバルブは、各工程時間の経過毎に吸着剤床一つ分だけ下流側に移動された。
【００７４】
特定の吸着剤床に関しては、供給および排出される材料の各流れの流入および排出を制御する開閉バルブを制御する方法は次のとおりであった。０秒の時点では、上記特定の吸着剤床へ繋がる上記共通バルブＤ／Ｃ２は開放され、上記脱着剤は、上記特定の吸着剤床上のグリッドに接続されているパイプラインを介して上記特定の吸着剤床内へ流入し始めた。このとき、上記特定の吸着剤床は脱着領域内にあった。８０秒間の一工程時間の経過後、上記バルブＤ／Ｃ２は閉じられるので、上記特定の吸着剤床内への上記脱着剤の流入が中断され、上記脱着剤は隣の吸着剤床内へ流入した。単離領域内の当初の吸着剤床では、材料の供給および排出の何れも行われなかった。３×８０秒が経過して時点では、上記特定の吸着剤床上のグリッド内のパイプラインに接続されている上記バルブＲが開放され、上記ラフィネートは、上記特定の吸着剤床上のグリッドに接続されているパイプラインを介して吸着カラムから流出し始めた。４×８０秒が経過した時点では、上記特定の吸着剤床上のグリッド内のパイプラインに接続されている上記ラフィネートバルブが閉じられ、上記ラフィネートは、上記特定の吸着剤床下のグリッドに接続されているパイプラインを介して上記吸着カラムから流出し始めた。また、上記特定の吸着剤床は吸着領域内へと移動された。（５×８０＋２０）秒が経過した時点では、上記特定の吸着剤床上のグリッドに接続されている上記共通バルブＦ／Ｃ４は、上記Ｃ４洗浄が行われるように開放された。（５×８０＋２７．７１）秒が経過した時点では、上記バルブが閉じられた。１０×８０秒が経過した時点では、上記特定の吸着剤床上のグリッドに接続されている上記共通バルブＦ／Ｃ４は開放され、上記原料は、上記特定の吸着剤床上のグリッドに接続されているパイプラインを介して上記特定の吸着剤床内へ流入し始めた。このとき、上記特定の吸着剤床は未だに上記吸着領域内に留まっていた。１１×８０秒が経過した時点では、上記特定の吸着剤床上のグリッドに接続されている上記共通バルブＦ／Ｃ４は閉じられた。このとき、上記特定の吸着剤床は精留領域内へ移動した。１２×８０秒が経過した時点では、上記特定の吸着剤床上のグリッドに接続されている上記バルブＣ３は、上記Ｃ３洗浄が行われるように開放された。１３×８０秒が経過した時点では、上記吸着剤床上のグリッドに接続されている上記バルブＣ３は閉じられた。（１８×８０＋８）秒が経過した時点では、上記特定の吸着剤床上のグリッドに接続されている上記共通バルブＤ／Ｃ２は、上記Ｃ２洗浄が行われるように開放された。（１８×８０＋１５．６７）秒が経過した時点では、上記特定の吸着剤床へと通じる上記共通バルブＣ２／Ｃ３は閉じられた。１９×８０秒が経過した時点では、上記特定の吸着剤床上のグリッドに接続されている上記抽出物バルブＥは開放された。上記抽出物は、上記特定の吸着剤床上のグリッドに接続されているパイプラインを介して上記吸着カラムから流出し始めた。２１×８０秒が経過した時点では、上記特定の吸着剤床上のグリッド内のパイプラインに接続されている上記抽出物バルブＥは閉じられ、上記抽出物は、上記特定の吸着剤床下のグリッドに接続されているパイプラインを介して上記特定の吸着剤床から流出し始めた。このとき、上記特定の吸着剤床は脱着領域内に移動した。２３×８０秒が経過した時点では、上記特定の吸着剤床上のグリッドに接続されている上記バルブＣ１は、上記Ｃ１洗浄が行われるように開放され、その後の２４×８０秒が経過した時点で閉じられた。２４×８０秒が経過した時点では、上記特定の吸着剤床に至る上記共通バルブＤ／Ｃ２は開放され、上記脱着剤が上記特定の吸着剤床内へ再度流入することになるので、完全な循環が完成する。
【００７５】
比較例２に示した状態と比較して合計で４８個少ない開閉バルブを使用した。上述の作業の結果から、生成物の純度は９９．７１％であり、収率は９１．８％であることが示されたが、これらは比較例２で得られる結果から目立って異なるものではない。
【００７６】
比較例および実施例の状態を以下の表にまとめる。
【００７７】
【表１】
0005989111.tif 000002
【図面の簡単な説明】
【００７８】
【図１】図１は、比較例１において一工程時間内に吸着カラムへ供給され、当該吸着カラムから排出される材料を制御するバルブの設定の図表示を示す。
【図２】図２は、本発明の実施例１において一工程時間内に吸着カラムへ供給され、当該吸着カラムから排出される材料を制御するバルブの設定の図表示を示す。
【図３】図３は、本発明の実施例２において一工程時間内に吸着カラムへ供給され、当該吸着カラムから排出される材料を制御するバルブの設定の図表示を示す。
【図４】図４は、本発明の実施例３において一工程時間内に吸着カラムへ供給され、当該吸着カラムから排出される材料を制御するバルブの設定の図表示を示す。
【図５】図５は、比較例２において一工程時間内に吸着カラムへ供給され、当該吸着カラムから排出される材料を制御するバルブの設定の図表示を示す。
【図６】図６は、本発明の実施例４において一工程時間内に吸着カラムへ供給され、当該吸着カラムから排出される材料を制御するバルブの設定の図表示を示す。
【図１】
0005989111.tif 000003
【図２】
0005989111.tif 000004
【図３】
0005989111.tif 000005
【図４】
0005989111.tif 000006
【図５】
0005989111.tif 000007
【図６】
0005989111.tif 000008